【手続補正書】
【提出日】平成23年7月29日(2011.7.29)
【手続補正１】
【補正対象書類名】特許請求の範囲
【補正対象項目名】全文
【補正方法】変更
【補正の内容】
【特許請求の範囲】
【請求項１】
ワイヤレス通信システムにおける自動利得制御（ＡＧＣ）のための方法において、
アナログデジタル変換器（ＡＤＣ）の出力から、受信信号の電力を推定することと、
前記推定された受信信号の電力に基づいて、アナログ利得を調整することと、
前記調整されたアナログ利得を使用しながら、デジタルフィルタの出力から、調整された信号の電力を推定することと、
前記推定された調整信号の電力に基づいて、デジタル利得を調整することとを含み、
前記ＡＤＣの出力は、前記デジタルフィルタに入力され、
前記受信信号は、直交周波数分割多重化（ＯＦＤＭ）または直交周波数分割多元接続（ＯＦＤＭＡ）フレームに基づいており、
前記受信信号の電力を推定することは、前記フレームのＯＦＤＭまたはＯＦＤＭＡシンボルの第１のサイクリックプレフィックス（ＣＰ）に基づいて、前記受信信号の電力を推定することを含む方法。
【請求項２】
前記調整された信号の電力を推定することは、前記ＯＦＤＭまたはＯＦＤＭＡシンボルのデータ部分に基づいて、あるいは、後続するＯＦＤＭまたはＯＦＤＭＡシンボルの第２のＣＰに基づいて、前記調整された信号の電力を推定することを含む請求項１記載の方法。
【請求項３】
前記受信信号の電力を推定する前に、前記アナログ利得を初期化することをさらに含む請求項１記載の方法。
【請求項４】
ワイヤレス通信のための受信機において、
アナログデジタル変換器（ＡＤＣ）の出力から、受信信号の電力を推定するように構成されている第１の推定論理と、
前記推定された受信信号の電力に基づいて、アナログ利得を調整するように構成されている第１の調整論理と、
前記調整されたアナログ利得を使用しながら、デジタルフィルタの出力から、調整された信号の電力を推定するように構成されている第２の推定論理と、
前記推定された調整信号の電力に基づいて、デジタル利得を調整するように構成されている第２の調整論理とを具備し、
前記ＡＤＣの出力は、前記デジタルフィルタに入力され、
前記受信信号は、直交周波数分割多重化（ＯＦＤＭ）または直交周波数分割多元接続（ＯＦＤＭＡ）フレームに基づいており、
前記第１の推定論理は、前記フレームのＯＦＤＭまたはＯＦＤＭＡシンボルの第１のサイクリックプレフィックス（ＣＰ）に基づいて、前記受信信号の電力を推定するように構成されている受信機。
【請求項５】
前記第２の推定論理は、前記ＯＦＤＭまたはＯＦＤＭＡシンボルのデータ部分に基づいて、あるいは、後続するＯＦＤＭまたはＯＦＤＭＡシンボルの第２のＣＰに基づいて、前記調整された信号の電力を推定するように構成されている請求項４記載の受信機。
【請求項６】
前記第１の推定論理が前記受信信号の電力を推定する前に、前記アナログ利得を初期化するように構成されている初期化論理をさらに具備する請求項４記載の受信機。
【請求項７】
ワイヤレス通信システムにおける自動利得制御（ＡＧＣ）のための装置において、
アナログデジタル変換器（ＡＤＣ）の出力から、受信信号の電力を推定する手段と、
前記推定された受信信号の電力に基づいて、アナログ利得を調整する手段と、
前記調整されたアナログ利得を使用しながら、デジタルフィルタの出力から、調整された信号の電力を推定する手段と、
前記推定された調整信号の電力に基づいて、デジタル利得を調整する手段とを具備し、
前記ＡＤＣの出力は、前記デジタルフィルタに入力され、
前記受信信号は、直交周波数分割多重化（ＯＦＤＭ）または直交周波数分割多元接続（ＯＦＤＭＡ）フレームに基づいており、
前記受信信号の電力を推定する手段は、前記フレームのＯＦＤＭまたはＯＦＤＭＡシンボルの第１のサイクリックプレフィックス（ＣＰ）に基づいて、前記受信信号の電力を推定するように構成されている装置。
【請求項８】
前記調整された信号の電力を推定する手段は、前記ＯＦＤＭまたはＯＦＤＭＡシンボルのデータ部分に基づいて、あるいは、後続するＯＦＤＭまたはＯＦＤＭＡシンボルの第２のＣＰに基づいて、前記調整された信号の電力を推定する手段を備える請求項７記載の装置。
【請求項９】
前記受信信号の電力を推定する前に、前記アナログ利得を初期化する手段をさらに具備する請求項７記載の装置。
【請求項１０】
移動体デバイスにおいて、
信号を受信する受信機フロントエンドと、
アナログデジタル変換器（ＡＤＣ）の出力から、前記受信信号の電力を推定するように構成されている第１の推定論理と、
前記推定された受信信号の電力に基づいて、アナログ利得を調整するように構成されている第１の調整論理と、
前記調整されたアナログ利得を使用しながら、デジタルフィルタの出力から、調整された信号の電力を推定するように構成されている第２の推定論理と、
前記推定された調整信号の電力に基づいて、デジタル利得を調整するように構成されている第２の調整論理とを具備し、
前記ＡＤＣの出力は、前記デジタルフィルタに入力され、
前記受信信号は、直交周波数分割多重化（ＯＦＤＭ）または直交周波数分割多元接続（ＯＦＤＭＡ）フレームに基づいており、
前記第１の推定論理は、前記フレームのＯＦＤＭまたはＯＦＤＭＡシンボルの第１のサイクリックプレフィックス（ＣＰ）に基づいて、前記受信信号の電力を推定するように構成されている移動体デバイス。
【請求項１１】
前記第２の推定論理は、前記ＯＦＤＭまたはＯＦＤＭＡシンボルのデータ部分に基づいて、あるいは、後続するＯＦＤＭまたはＯＦＤＭＡシンボルの第２のＣＰに基づいて、前記調整された信号の電力を推定するように構成されている請求項１０記載の移動体デバイス。
【請求項１２】
前記第１の推定論理が前記受信信号の電力を推定する前に、前記アナログ利得を初期化するように構成されている初期化論理をさらに具備する請求項１０記載の移動体デバイス。
【請求項１３】
ワイヤレス通信システムにおける自動利得制御（ＡＧＣ）のためのプログラムを含むコンピュータ読み取り可能記憶媒体において、前記プログラムは、プロセッサによって実行されるときに、
アナログデジタル変換器（ＡＤＣ）の出力から、受信信号の電力を推定することと、
前記推定された受信信号の電力に基づいて、アナログ利得を調整することと、
前記調整されたアナログ利得を使用しながら、デジタルフィルタの出力から、調整された信号の電力を推定することと、
前記推定された調整信号の電力に基づいて、デジタル利得を調整することとを含む動作を実行し、
前記ＡＤＣの出力は、前記デジタルフィルタに入力され、
前記受信信号は、直交周波数分割多重化（ＯＦＤＭ）または直交周波数分割多元接続（ＯＦＤＭＡ）フレームに基づいており、
前記受信信号の電力を推定することは、前記フレームのＯＦＤＭまたはＯＦＤＭＡシンボルの第１のサイクリックプレフィックス（ＣＰ）に基づいて、前記受信信号の電力を推定することを含むコンピュータ読み取り可能記憶媒体。
【請求項１４】
前記調整された信号の電力を推定することは、前記ＯＦＤＭまたはＯＦＤＭＡシンボルのデータ部分に基づいて、あるいは、後続するＯＦＤＭまたはＯＦＤＭＡシンボルの第２のＣＰに基づいて、前記調整された信号の電力を推定することを含む請求項１３記載のコンピュータ読み取り可能記憶媒体。
【請求項１５】
前記動作は、前記受信信号の電力を推定する前に、前記アナログ利得を初期化することを含む請求項１３記載のコンピュータ読み取り可能記憶媒体。
【請求項１６】
ワイヤレス通信システムにおけるＤＣ較正のための方法において、
受信信号のアナログ利得を設定して、増幅された信号を生成させることと、
前記受信信号のダウンリンク（ＤＬ）サブフレームより前の受信／送信の移行ギャップ（ＲＴＧ）中に、前記増幅信号のＤＣオフセットを推定することと、
前記推定されたＤＣオフセットを、前記増幅信号に適用することとを含み、
前記受信信号は、直交周波数分割多重化（ＯＦＤＭ）または直交周波数分割多元接続（ＯＦＤＭＡ）フレームに基づいている方法。
【請求項１７】
前記アナログ利得を設定して、前記ＯＦＤＭまたはＯＦＤＭＡフレームの（ダウンリンク）ＤＬサブフレームに基づいている、前記受信信号の一部分を増幅させることと、
前記受信信号の前記増幅された一部分のＤＣオフセットを推定することと、
前記推定されたＤＣオフセットを、前記受信信号の前記増幅された一部分に適用することとをさらに含む請求項１６記載の方法。
【請求項１８】
前記受信信号の前記増幅される一部分に対する前記アナログ利得を設定する前に、前記ＤＬサブフレームのＯＦＤＭまたはＯＦＤＭＡシンボルのサイクリックプレフィックス（ＣＰ）に基づいて、前記受信信号の電力を推定することをさらに含む請求項１７記載の方法。
【請求項１９】
前記ＯＦＤＭまたはＯＦＤＭＡフレームにおけるゾーンに基づいている、前記受信信号の一部分の間に、前記アナログ利得を設定して、前記受信信号の一部分を増幅させることと、
前記受信信号の前記増幅された一部分のゾーンＤＣオフセットを推定することと、
前記推定されたゾーンＤＣオフセットを、前記受信信号の前記増幅された一部分に適用することをさらに含む請求項１６記載の方法。
【請求項２０】
前記受信信号の前記増幅される一部分に対する前記アナログ利得を設定する前に、前記ゾーンのＯＦＤＭまたはＯＦＤＭＡシンボルのサイクリックプレフィックス（ＣＰ）に基づいて、前記受信信号の電力を推定することをさらに含む請求項１９記載の方法。
【請求項２１】
前記アナログ利得を設定することは、前記ギャップ時間中に前記アナログ利得を設定することを含む請求項１６記載の方法。
【請求項２２】
前記アナログ利得を設定する前の初期化中に、前記ＤＣオフセットを較正することをさらに含む請求項１６記載の方法。
【請求項２３】
ワイヤレス通信のための受信機において、
前記受信機によって受信された信号に対するアナログ利得を設定して、増幅された信号を生成させるように構成されている利得設定論理と、
前記受信信号のダウンリンク（ＤＬ）サブフレームより前の受信／送信の移行ギャップ（ＲＴＧ）中に、前記増幅信号のＤＣオフセットを推定するように構成されているオフセット推定論理と、
前記推定されたＤＣオフセットを、前記増幅信号に適用するように構成されている調整論理とを具備し、
前記受信信号は、直交周波数分割多重化（ＯＦＤＭ）または直交周波数分割多元接続（ＯＦＤＭＡ）フレームに基づいている受信機。
【請求項２４】
前記利得設定論理は、前記アナログ利得を設定して、前記ＯＦＤＭまたはＯＦＤＭＡフレームの（ダウンリンク）ＤＬサブフレームに基づいている、前記受信信号の一部分を増幅させるように構成され、前記オフセット推定論理は、前記受信信号の前記増幅された一部分のＤＣオフセットを推定するように構成され、前記調整論理は、前記推定されたＤＣオフセットを、前記受信信号の前記増幅された一部分に適用するように構成されている請求項２３記載の受信機。
【請求項２５】
前記受信信号の前記増幅される一部分に対する前記アナログ利得を設定する前に、前記ＤＬサブフレームのＯＦＤＭまたはＯＦＤＭＡシンボルのサイクリックプレフィックス（ＣＰ）に基づいて、前記受信信号の電力を推定するように構成されている電力推定論理をさらに具備する請求項２４記載の受信機。
【請求項２６】
前記利得設定論理は、前記アナログ利得を設定して、前記ＯＦＤＭまたはＯＦＤＭＡフレームにおけるゾーンに基づいている、前記受信信号の一部分を増幅させるように構成され、前記推定論理は、前記受信信号の前記増幅された一部分のゾーンＤＣオフセットを推定するように構成され、前記調整論理は、前記推定されたゾーンＤＣオフセットを、前記受信信号の前記増幅された一部分に適用するように構成されている請求項２３記載の受信機。
【請求項２７】
前記受信信号の前記増幅される一部分に対する前記アナログ利得を設定する前に、前記ゾーンのＯＦＤＭまたはＯＦＤＭＡシンボルのサイクリックプレフィックス（ＣＰ）に基づいて、前記受信信号の電力を推定するように構成されている電力推定論理をさらに具備する請求項２６記載の受信機。
【請求項２８】
前記利得設定論理は、前記ギャップ時間中に前記アナログ利得を設定するように構成されている請求項２３記載の受信機。
【請求項２９】
前記アナログ利得を設定する前の初期化中に、前記ＤＣオフセットを較正するように構成されている較正論理をさらに具備する請求項２３記載の受信機。
【請求項３０】
ワイヤレス通信システムにおけるＤＣ較正のための装置において、
受信信号のアナログ利得を設定して、増幅された信号を生成させる手段と、
前記受信信号のダウンリンク（ＤＬ）サブフレームより前の受信／送信の移行ギャップ（ＲＴＧ）中に、前記増幅信号のＤＣオフセットを推定する手段と、
前記推定されたＤＣオフセットを、前記増幅信号に適用する手段とを具備し、
前記受信信号は、直交周波数分割多重化（ＯＦＤＭ）または直交周波数分割多元接続（ＯＦＤＭＡ）フレームに基づいている装置。
【請求項３１】
前記アナログ利得を設定して、前記ＯＦＤＭまたはＯＦＤＭＡフレームの（ダウンリンク）ＤＬサブフレームに基づいている、前記受信信号の一部分を増幅させる手段と、
前記受信信号の前記増幅された一部分のＤＣオフセットを推定する手段と、
前記推定されたＤＣオフセットを、前記受信信号の前記増幅された一部分に適用する手段とをさらに具備する請求項３０記載の装置。
【請求項３２】
前記受信信号の前記増幅される一部分に対する前記アナログ利得を設定する前に、前記ＤＬサブフレームのＯＦＤＭまたはＯＦＤＭＡシンボルのサイクリックプレフィックス（ＣＰ）に基づいて、前記受信信号の電力を推定する手段をさらに具備する請求項３１記載の装置。
【請求項３３】
前記アナログ利得を設定して、前記受信信号の一部分を増幅させる手段と、
前記受信信号の前記増幅された一部分のゾーンＤＣオフセットを推定する手段と、
前記推定されたゾーンＤＣオフセットを、前記受信信号の前記増幅された一部分に適用する手段とをさらに具備し、
前記一部分は、前記ＯＦＤＭまたはＯＦＤＭＡフレームにおけるゾーンに基づいている請求項３０記載の装置。
【請求項３４】
前記受信信号の前記増幅される一部分に対する前記アナログ利得を設定する前に、前記ゾーンのＯＦＤＭまたはＯＦＤＭＡシンボルのサイクリックプレフィックス（ＣＰ）に基づいて、前記受信信号の電力を推定する手段をさらに具備する請求項３３記載の装置。
【請求項３５】
前記アナログ利得を設定する手段は、前記ギャップ時間中に前記アナログ利得を設定する請求項３０記載の装置。
【請求項３６】
前記アナログ利得を設定する前の初期化中に、前記ＤＣオフセットを較正する手段をさらに具備する請求項３０記載の装置。
【請求項３７】
移動体デバイスにおいて、
直交周波数分割多重化（ＯＦＤＭ）または直交周波数分割多元接続（ＯＦＤＭＡ）フレームに基づいている信号を受信する受信機フロントエンドと、
前記受信信号に対するアナログ利得を設定して、増幅された信号を生成させるように構成されている利得設定論理と、
前記受信信号のダウンリンク（ＤＬ）サブフレームより前の受信／送信の移行ギャップ（ＲＴＧ）中に、前記増幅信号のＤＣオフセットを推定するように構成されている推定論理と、
前記推定されたＤＣオフセットを、前記増幅信号に適用するように構成されている調整論理とを具備する移動体デバイス。
【請求項３８】
前記利得設定論理は、前記アナログ利得を設定して、前記ＯＦＤＭまたはＯＦＤＭＡフレームの（ダウンリンク）ＤＬサブフレームに基づいている、前記受信信号の一部分を増幅させるように構成され、前記オフセット推定論理は、前記受信信号の前記増幅された一部分のＤＣオフセットを推定するように構成され、前記調整論理は、前記推定されたＤＣオフセットを、前記受信信号の前記増幅された一部分に適用するように構成されている請求項３７記載の移動体デバイス。
【請求項３９】
前記受信信号の前記増幅される一部分に対する前記アナログ利得を設定する前に、前記ＤＬサブフレームのＯＦＤＭまたはＯＦＤＭＡシンボルのサイクリックプレフィックス（ＣＰ）に基づいて、前記受信信号の電力を推定するように構成されている電力推定論理をさらに具備する請求項３８記載の移動体デバイス。
【請求項４０】
前記利得設定論理は、前記アナログ利得を設定して、前記ＯＦＤＭまたはＯＦＤＭＡフレームにおけるゾーンに基づいている、前記受信信号の一部分を増幅させるように構成され、前記推定論理は、前記受信信号の前記増幅された一部分のゾーンＤＣオフセットを推定するように構成され、前記調整論理は、前記推定されたゾーンＤＣオフセットを、前記受信信号の前記増幅された一部分に適用するように構成されている請求項３７記載の移動体デバイス。
【請求項４１】
前記受信信号の前記増幅される一部分に対する前記アナログ利得を設定する前に、前記ゾーンのＯＦＤＭまたはＯＦＤＭＡシンボルのサイクリックプレフィックス（ＣＰ）に基づいて、前記受信信号の電力を推定するように構成されている電力推定論理をさらに具備する請求項４０記載の移動体デバイス。
【請求項４２】
前記利得設定論理は、前記ギャップ時間中に前記アナログ利得を設定するように構成されている請求項３７記載の移動体デバイス。
【請求項４３】
前記アナログ利得を設定する前の初期化中に、前記ＤＣオフセットを較正するように構成されている較正論理をさらに具備する請求項３７記載の移動体デバイス。
【請求項４４】
ワイヤレス通信システムにおけるＤＣ較正のためのプログラムを含むコンピュータ読み取り可能記憶媒体において、前記プログラムは、プロセッサによって実行されるときに、
受信信号のアナログ利得を設定して、増幅された信号を生成させることと、
前記受信信号のダウンリンク（ＤＬ）サブフレームより前の受信／送信の移行ギャップ（ＲＴＧ）中に、前記増幅信号のＤＣオフセットを推定することと、
前記推定されたＤＣオフセットを、前記増幅信号に適用することとを含む動作を実行し、
前記受信信号は、直交周波数分割多重化（ＯＦＤＭ）または直交周波数分割多元接続（ＯＦＤＭＡ）フレームに基づいているコンピュータ読み取り可能記憶媒体。
【請求項４５】
前記動作は、
前記アナログ利得を設定して、前記ＯＦＤＭまたはＯＦＤＭＡフレームの（ダウンリンク）ＤＬサブフレームに基づいている、前記受信信号の一部分を増幅させることと、
前記受信信号の前記増幅された一部分のＤＣオフセットを推定することと、
前記推定されたＤＣオフセットを、前記受信信号の前記増幅された一部分に適用することとを含む請求項４４記載のコンピュータ読み取り可能記憶媒体。
【請求項４６】
前記動作は、
前記受信信号の前記増幅される一部分に対する前記アナログ利得を設定する前に、前記ＤＬサブフレームのＯＦＤＭまたはＯＦＤＭＡシンボルのサイクリックプレフィックス（ＣＰ）に基づいて、前記受信信号の電力を推定することとを含む請求項４５記載のコンピュータ読み取り可能記憶媒体。
【請求項４７】
前記動作は、
前記ＯＦＤＭまたはＯＦＤＭＡフレームにおけるゾーンに基づいている、前記受信信号の一部分の間に、前記アナログ利得を設定して、前記受信信号の一部分を増幅させることと、
前記受信信号の前記増幅された一部分のゾーンＤＣオフセットを推定することと、
前記推定されたゾーンＤＣオフセットを、前記受信信号の前記増幅された一部分に適用することとを含む請求項４４記載のコンピュータ読み取り可能記憶媒体。
【請求項４８】
前記動作は、
前記受信信号の前記増幅される一部分に対する前記アナログ利得を設定する前に、前記ゾーンのＯＦＤＭまたはＯＦＤＭＡシンボルのサイクリックプレフィックス（ＣＰ）に基づいて、前記受信信号の電力を推定することを含む請求項４７記載のコンピュータ読み取り可能記憶媒体。
【請求項４９】
前記アナログ利得を設定することは、前記ギャップ時間中に前記アナログ利得を設定することを含む請求項４４記載のコンピュータ読み取り可能記憶媒体。
【請求項５０】
前記動作は、前記アナログ利得を設定する前の初期化中に、前記ＤＣオフセットを較正することを含む請求項４４記載のコンピュータ読み取り可能記憶媒体。
【手続補正２】
【補正対象書類名】図面
【補正対象項目名】図８
【補正方法】変更
【補正の内容】
【図８】
2011524696.tif 000001
【手続補正３】
【補正対象書類名】明細書
【補正対象項目名】０１００
【補正方法】変更
【補正の内容】
【０１００】
特許請求の範囲は上記で図示した厳密な構成およびコンポーネントに限定されるものではないことを理解すべきである。上述した方法および装置の、配置、動作および詳細において、特許請求の範囲から逸脱することなく、さまざまな改良、変更、バリエーションを行うことができる。
以下に、本願出願当初の特許請求の範囲に記載された発明を付記する。
［１］ワイヤレス通信システムにおける自動利得制御（ＡＧＣ）のための方法において、
アナログデジタル変換器（ＡＤＣ）の出力から、受信信号の電力を推定することと、
前記推定された受信信号の電力に基づいて、アナログ利得を調整することと、
前記調整されたアナログ利得を使用しながら、デジタルフィルタの出力から、調整された信号の電力を推定することと、
前記推定された調整信号の電力に基づいて、デジタル利得を調整することとを含み、
前記ＡＤＣの出力は、前記デジタルフィルタに入力される方法。
［２］前記受信信号は、直交周波数分割多重化（ＯＦＤＭ）または直交周波数分割多元接続（ＯＦＤＭＡ）フレームに基づいている［１］記載の方法。
［３］前記受信信号の電力を推定することは、前記フレームのＯＦＤＭまたはＯＦＤＭＡシンボルの第１のサイクリックプレフィックス（ＣＰ）に基づいて、前記受信信号の電力を推定することを含む［２］記載の方法。
［４］前記調整された信号の電力を推定することは、前記ＯＦＤＭまたはＯＦＤＭＡシンボルのデータ部分に基づいて、あるいは、後続するＯＦＤＭまたはＯＦＤＭＡシンボルの第２のＣＰに基づいて、前記調整された信号の電力を推定することを含む［３］記載の方法。
［５］前記受信信号の電力を推定する前に、前記アナログ利得を初期化することをさらに含む［１］記載の方法。
［６］ワイヤレス通信のための受信機において、
アナログデジタル変換器（ＡＤＣ）の出力から、受信信号の電力を推定するように構成されている第１の推定論理と、
前記推定された受信信号の電力に基づいて、アナログ利得を調整するように構成されている第１の調整論理と、
前記調整されたアナログ利得を使用しながら、デジタルフィルタの出力から、調整された信号の電力を推定するように構成されている第２の推定論理と、
前記推定された調整信号の電力に基づいて、デジタル利得を調整するように構成されている第２の調整論理とを具備し、
前記ＡＤＣの出力は、前記デジタルフィルタに入力される受信機。
［７］前記受信信号は、直交周波数分割多重化（ＯＦＤＭ）または直交周波数分割多元接続（ＯＦＤＭＡ）フレームに基づいている［６］記載の受信機。
［８］前記第１の推定論理は、前記フレームのＯＦＤＭまたはＯＦＤＭＡシンボルの第１のサイクリックプレフィックス（ＣＰ）に基づいて、前記受信信号の電力を推定するように構成されている［７］記載の受信機。
［９］前記第２の推定論理は、前記ＯＦＤＭまたはＯＦＤＭＡシンボルのデータ部分に基づいて、あるいは、後続するＯＦＤＭまたはＯＦＤＭＡシンボルの第２のＣＰに基づいて、前記調整された信号の電力を推定するように構成されている［８］記載の受信機。
［１０］前記第１の推定論理が前記受信信号の電力を推定する前に、前記アナログ利得を初期化するように構成されている初期化論理をさらに具備する［６］記載の受信機。
［１１］ワイヤレス通信システムにおける自動利得制御（ＡＧＣ）のための装置において、
アナログデジタル変換器（ＡＤＣ）の出力から、受信信号の電力を推定する手段と、
前記推定された受信信号の電力に基づいて、アナログ利得を調整する手段と、
前記調整されたアナログ利得を使用しながら、デジタルフィルタの出力から、調整された信号の電力を推定する手段と、
前記推定された調整信号の電力に基づいて、デジタル利得を調整する手段とを具備し、
前記ＡＤＣの出力は、前記デジタルフィルタに入力される装置。
［１２］前記受信信号は、直交周波数分割多重化（ＯＦＤＭ）または直交周波数分割多元接続（ＯＦＤＭＡ）フレームに基づいている［１１］記載の装置。
［１３］前記受信信号の電力を推定する手段は、前記フレームのＯＦＤＭまたはＯＦＤＭＡシンボルの第１のサイクリックプレフィックス（ＣＰ）に基づいて、前記受信信号の電力を推定する手段を備える［１２］記載の装置。
［１４］前記調整された信号の電力を推定する手段は、前記ＯＦＤＭまたはＯＦＤＭＡシンボルのデータ部分に基づいて、あるいは、後続するＯＦＤＭまたはＯＦＤＭＡシンボルの第２のＣＰに基づいて、前記調整された信号の電力を推定する手段を備える［１３］記載の装置。
［１５］前記受信信号の電力を推定する前に、前記アナログ利得を初期化する手段をさらに具備する［１１］記載の装置。
［１６］移動体デバイスにおいて、
信号を受信する受信機フロントエンドと、
アナログデジタル変換器（ＡＤＣ）の出力から、前記受信信号の電力を推定するように構成されている第１の推定論理と、
前記推定された受信信号の電力に基づいて、アナログ利得を調整するように構成されている第１の調整論理と、
前記調整されたアナログ利得を使用しながら、デジタルフィルタの出力から、調整された信号の電力を推定するように構成されている第２の推定論理と、
前記推定された調整信号の電力に基づいて、デジタル利得を調整するように構成されている第２の調整論理とを具備し、
前記ＡＤＣの出力は、前記デジタルフィルタに入力される移動体デバイス。
［１７］前記受信信号は、直交周波数分割多重化（ＯＦＤＭ）または直交周波数分割多元接続（ＯＦＤＭＡ）フレームに基づいている［１６］記載の移動体デバイス。
［１８］前記第１の推定論理は、前記フレームのＯＦＤＭまたはＯＦＤＭＡシンボルの第１のサイクリックプレフィックス（ＣＰ）に基づいて、前記受信信号の電力を推定するように構成されている［１７］記載の移動体デバイス。
［１９］前記第２の推定論理は、前記ＯＦＤＭまたはＯＦＤＭＡシンボルのデータ部分に基づいて、あるいは、後続するＯＦＤＭまたはＯＦＤＭＡシンボルの第２のＣＰに基づいて、前記調整された信号の電力を推定するように構成されている［１８］記載の移動体デバイス。
［２０］前記第１の推定論理が前記受信信号の電力を推定する前に、前記アナログ利得を初期化するように構成されている初期化論理をさらに具備する［１６］記載の移動体デバイス。
［２１］ワイヤレス通信システムにおける自動利得制御（ＡＧＣ）のためのプログラムを含むコンピュータ読み取り可能媒体において、前記プログラムは、プロセッサによって実行されるときに、
アナログデジタル変換器（ＡＤＣ）の出力から、受信信号の電力を推定することと、
前記推定された受信信号の電力に基づいて、アナログ利得を調整することと、
前記調整されたアナログ利得を使用しながら、デジタルフィルタの出力から、調整された信号の電力を推定することと、
前記推定された調整信号の電力に基づいて、デジタル利得を調整することとを含む動作を実行し、
前記ＡＤＣの出力は、前記デジタルフィルタに入力されるコンピュータ読み取り可能媒体。
［２２］前記受信信号は、直交周波数分割多重化（ＯＦＤＭ）または直交周波数分割多元接続（ＯＦＤＭＡ）フレームに基づいている［２１］記載のコンピュータ読み取り可能媒体。
［２３］前記受信信号の電力を推定することは、前記フレームのＯＦＤＭまたはＯＦＤＭＡシンボルの第１のサイクリックプレフィックス（ＣＰ）に基づいて、前記受信信号の電力を推定することを含む［２２］記載のコンピュータ読み取り可能媒体。
［２４］前記調整された信号の電力を推定することは、前記ＯＦＤＭまたはＯＦＤＭＡシンボルのデータ部分に基づいて、あるいは、後続するＯＦＤＭまたはＯＦＤＭＡシンボルの第２のＣＰに基づいて、前記調整された信号の電力を推定することを含む［２３］記載のコンピュータ読み取り可能媒体。
［２５］前記動作は、前記受信信号の電力を推定する前に、前記アナログ利得を初期化することを含む［２１］記載のコンピュータ読み取り可能媒体。
［２６］ワイヤレス通信システムにおけるＤＣ較正のための方法において、
受信信号のアナログ利得を設定して、増幅された信号を生成させることと、
前記受信信号のギャップ時間中に、前記増幅信号のＤＣオフセットを推定することと、
前記推定されたＤＣオフセットを、前記増幅信号に適用することとを含み、
前記受信信号は、直交周波数分割多重化（ＯＦＤＭ）または直交周波数分割多元接続（ＯＦＤＭＡ）フレームに基づいている方法。
［２７］前記アナログ利得を設定して、前記ＯＦＤＭまたはＯＦＤＭＡフレームの（ダウンリンク）ＤＬサブフレームに基づいている、前記受信信号の一部分を増幅させることと、
前記受信信号の前記増幅された一部分のＤＣオフセットを推定することと、
前記推定されたＤＣオフセットを、前記受信信号の前記増幅された一部分に適用することとをさらに含む［２６］記載の方法。
［２８］前記受信信号の前記増幅される一部分に対する前記アナログ利得を設定する前に、前記ＤＬサブフレームのＯＦＤＭまたはＯＦＤＭＡシンボルのサイクリックプレフィックス（ＣＰ）に基づいて、前記受信信号の電力を推定することをさらに含む［２７］記載の方法。
［２９］前記ＯＦＤＭまたはＯＦＤＭＡフレームにおけるゾーンに基づいている、前記受信信号の一部分の間に、前記アナログ利得を設定して、前記受信信号の一部分を増幅させることと、
前記受信信号の前記増幅された一部分のゾーンＤＣオフセットを推定することと、
前記推定されたゾーンＤＣオフセットを、前記受信信号の前記増幅された一部分に適用することをさらに含む［２６］記載の方法。
［３０］前記受信信号の前記増幅される一部分に対する前記アナログ利得を設定する前に、前記ゾーンのＯＦＤＭまたはＯＦＤＭＡシンボルのサイクリックプレフィックス（ＣＰ）に基づいて、前記受信信号の電力を推定することをさらに含む［２９］記載の方法。
［３１］前記アナログ利得を設定することは、前記ギャップ時間中に前記アナログ利得を設定することを含む［２６］記載の方法。
［３２］前記アナログ利得を設定する前の初期化中に、前記ＤＣオフセットを較正することをさらに含む［２６］記載の方法。
［３３］ワイヤレス通信のための受信機において、
前記受信機によって受信された信号に対するアナログ利得を設定して、増幅された信号を生成させるように構成されている利得設定論理と、
前記受信信号のギャップ時間中に、前記増幅信号のＤＣオフセットを推定するように構成されているオフセット推定論理と、
前記推定されたＤＣオフセットを、前記増幅信号に適用するように構成されている調整論理とを具備し、
前記受信信号は、直交周波数分割多重化（ＯＦＤＭ）または直交周波数分割多元接続（ＯＦＤＭＡ）フレームに基づいている受信機。
［３４］前記利得設定論理は、前記アナログ利得を設定して、前記ＯＦＤＭまたはＯＦＤＭＡフレームの（ダウンリンク）ＤＬサブフレームに基づいている、前記受信信号の一部分を増幅させるように構成され、前記オフセット推定論理は、前記受信信号の前記増幅された一部分のＤＣオフセットを推定するように構成され、前記調整論理は、前記推定されたＤＣオフセットを、前記受信信号の前記増幅された一部分に適用するように構成されている［３３］記載の受信機。
［３５］前記受信信号の前記増幅される一部分に対する前記アナログ利得を設定する前に、前記ＤＬサブフレームのＯＦＤＭまたはＯＦＤＭＡシンボルのサイクリックプレフィックス（ＣＰ）に基づいて、前記受信信号の電力を推定するように構成されている電力推定論理をさらに具備する［３４］記載の受信機。
［３６］前記利得設定論理は、前記アナログ利得を設定して、前記ＯＦＤＭまたはＯＦＤＭＡフレームにおけるゾーンに基づいている、前記受信信号の一部分を増幅させるように構成され、前記推定論理は、前記受信信号の前記増幅された一部分のゾーンＤＣオフセットを推定するように構成され、前記調整論理は、前記推定されたゾーンＤＣオフセットを、前記受信信号の前記増幅された一部分に適用するように構成されている［３３］記載の受信機。
［３７］前記受信信号の前記増幅される一部分に対する前記アナログ利得を設定する前に、前記ゾーンのＯＦＤＭまたはＯＦＤＭＡシンボルのサイクリックプレフィックス（ＣＰ）に基づいて、前記受信信号の電力を推定するように構成されている電力推定論理をさらに具備する［３６］記載の受信機。
［３８］前記利得設定論理は、前記ギャップ時間中に前記アナログ利得を設定するように構成されている［３３］記載の受信機。
［３９］前記アナログ利得を設定する前の初期化中に、前記ＤＣオフセットを較正するように構成されている較正論理をさらに具備する［３３］記載の受信機。
［４０］ワイヤレス通信システムにおけるＤＣ較正のための装置において、
受信信号のアナログ利得を設定して、増幅された信号を生成させる手段と、
前記受信信号のギャップ時間中に、前記増幅信号のＤＣオフセットを推定する手段と、
前記推定されたＤＣオフセットを、前記増幅信号に適用する手段とを具備し、
前記受信信号は、直交周波数分割多重化（ＯＦＤＭ）または直交周波数分割多元接続（ＯＦＤＭＡ）フレームに基づいている装置。
［４１］前記アナログ利得を設定して、前記ＯＦＤＭまたはＯＦＤＭＡフレームの（ダウンリンク）ＤＬサブフレームに基づいている、前記受信信号の一部分を増幅させる手段と、
前記受信信号の前記増幅された一部分のＤＣオフセットを推定する手段と、
前記推定されたＤＣオフセットを、前記受信信号の前記増幅された一部分に適用する手段とをさらに具備する［４０］記載の装置。
［４２］前記受信信号の前記増幅される一部分に対する前記アナログ利得を設定する前に、前記ＤＬサブフレームのＯＦＤＭまたはＯＦＤＭＡシンボルのサイクリックプレフィックス（ＣＰ）に基づいて、前記受信信号の電力を推定する手段をさらに具備する［４１］記載の装置。
［４３］前記アナログ利得を設定して、前記受信信号の一部分を増幅させる手段と、
前記受信信号の前記増幅された一部分のゾーンＤＣオフセットを推定する手段と、
前記推定されたゾーンＤＣオフセットを、前記受信信号の前記増幅された一部分に適用する手段とをさらに具備し、
前記一部分は、前記ＯＦＤＭまたはＯＦＤＭＡフレームにおけるゾーンに基づいている［４０］記載の装置。
［４４］前記受信信号の前記増幅される一部分に対する前記アナログ利得を設定する前に、前記ゾーンのＯＦＤＭまたはＯＦＤＭＡシンボルのサイクリックプレフィックス（ＣＰ）に基づいて、前記受信信号の電力を推定する手段をさらに具備する［４３］記載の装置。
［４５］前記アナログ利得を設定する手段は、前記ギャップ時間中に前記アナログ利得を設定する［４０］記載の装置。
［４６］前記アナログ利得を設定する前の初期化中に、前記ＤＣオフセットを較正する手段をさらに具備する［４０］記載の装置。
［４７］移動体デバイスにおいて、
直交周波数分割多重化（ＯＦＤＭ）または直交周波数分割多元接続（ＯＦＤＭＡ）フレームに基づいている信号を受信する受信機フロントエンドと、
前記受信信号に対するアナログ利得を設定して、増幅された信号を生成させるように構成されている利得設定論理と、
前記受信信号のギャップ時間中に、前記増幅信号のＤＣオフセットを推定するように構成されている推定論理と、
前記推定されたＤＣオフセットを、前記増幅信号に適用するように構成されている調整論理とを具備する移動体デバイス。
［４８］前記利得設定論理は、前記アナログ利得を設定して、前記ＯＦＤＭまたはＯＦＤＭＡフレームの（ダウンリンク）ＤＬサブフレームに基づいている、前記受信信号の一部分を増幅させるように構成され、前記オフセット推定論理は、前記受信信号の前記増幅された一部分のＤＣオフセットを推定するように構成され、前記調整論理は、前記推定されたＤＣオフセットを、前記受信信号の前記増幅された一部分に適用するように構成されている［４７］記載の移動体デバイス。
［４９］前記受信信号の前記増幅される一部分に対する前記アナログ利得を設定する前に、前記ＤＬサブフレームのＯＦＤＭまたはＯＦＤＭＡシンボルのサイクリックプレフィックス（ＣＰ）に基づいて、前記受信信号の電力を推定するように構成されている電力推定論理をさらに具備する［４８］記載の移動体デバイス。
［５０］前記利得設定論理は、前記アナログ利得を設定して、前記ＯＦＤＭまたはＯＦＤＭＡフレームにおけるゾーンに基づいている、前記受信信号の一部分を増幅させるように構成され、前記推定論理は、前記受信信号の前記増幅された一部分のゾーンＤＣオフセットを推定するように構成され、前記調整論理は、前記推定されたゾーンＤＣオフセットを、前記受信信号の前記増幅された一部分に適用するように構成されている［４７］記載の移動体デバイス。
［５１］前記受信信号の前記増幅される一部分に対する前記アナログ利得を設定する前に、前記ゾーンのＯＦＤＭまたはＯＦＤＭＡシンボルのサイクリックプレフィックス（ＣＰ）に基づいて、前記受信信号の電力を推定するように構成されている電力推定論理をさらに具備する［５０］記載の移動体デバイス。
［５２］前記利得設定論理は、前記ギャップ時間中に前記アナログ利得を設定するように構成されている［４７］記載の移動体デバイス。
［５３］前記アナログ利得を設定する前の初期化中に、前記ＤＣオフセットを較正するように構成されている較正論理をさらに具備する［４７］記載の移動体デバイス。
［５４］ワイヤレス通信システムにおけるＤＣ較正のためのプログラムを含むコンピュータ読み取り可能媒体において、前記プログラムは、プロセッサによって実行されるときに、
受信信号のアナログ利得を設定して、増幅された信号を生成させることと、
前記受信信号のギャップ時間中に、前記増幅信号のＤＣオフセットを推定することと、
前記推定されたＤＣオフセットを、前記増幅信号に適用することとを含む動作を実行し、
前記受信信号は、直交周波数分割多重化（ＯＦＤＭ）または直交周波数分割多元接続（ＯＦＤＭＡ）フレームに基づいているコンピュータ読み取り可能媒体。
［５５］前記動作は、
前記アナログ利得を設定して、前記ＯＦＤＭまたはＯＦＤＭＡフレームの（ダウンリンク）ＤＬサブフレームに基づいている、前記受信信号の一部分を増幅させることと、
前記受信信号の前記増幅された一部分のＤＣオフセットを推定することと、
前記推定されたＤＣオフセットを、前記受信信号の前記増幅された一部分に適用することとを含む［５４］記載のコンピュータ読み取り可能媒体。
［５６］前記動作は、
前記受信信号の前記増幅される一部分に対する前記アナログ利得を設定する前に、前記ＤＬサブフレームのＯＦＤＭまたはＯＦＤＭＡシンボルのサイクリックプレフィックス（ＣＰ）に基づいて、前記受信信号の電力を推定することとを含む［５５］記載のコンピュータ読み取り可能媒体。
［５７］前記動作は、
前記ＯＦＤＭまたはＯＦＤＭＡフレームにおけるゾーンに基づいている、前記受信信号の一部分の間に、前記アナログ利得を設定して、前記受信信号の一部分を増幅させることと、
前記受信信号の前記増幅された一部分のゾーンＤＣオフセットを推定することと、
前記推定されたゾーンＤＣオフセットを、前記受信信号の前記増幅された一部分に適用することとを含む［５４］記載のコンピュータ読み取り可能媒体。
［５８］前記動作は、
前記受信信号の前記増幅される一部分に対する前記アナログ利得を設定する前に、前記ゾーンのＯＦＤＭまたはＯＦＤＭＡシンボルのサイクリックプレフィックス（ＣＰ）に基づいて、前記受信信号の電力を推定することを含む［５７］記載のコンピュータ読み取り可能媒体。
［５９］前記アナログ利得を設定することは、前記ギャップ時間中に前記アナログ利得を設定することを含む［５４］記載のコンピュータ読み取り可能媒体。
［６０］前記動作は、前記アナログ利得を設定する前の初期化中に、前記ＤＣオフセットを較正することを含む［５４］記載のコンピュータ読み取り可能媒体。